(57)【要約】【課題】農薬や天敵を用いずに、茶園の害虫の防除を行う装置を提供すること、及びその装置を利用して、茶園の露取り作業が出来るようにすること。【解決手段】茶樹の形状に合わせた円弧板と送風枝管で構成した防除機を作り、円弧板後方には捕虫網をセットし、円弧板前方から圧力風を茶葉に吹付け、害虫を吹き飛ばし、捕虫網へ捕らえるという手段と、この圧力風によって茶葉に付着した水滴を吹き飛ばし、畝間に落すという手段を用いる。【選択図】        図１
2004222679.tif 000002
【特許請求の範囲】
【請求項１】
茶畝を形成する茶樹の表面形状に合わせた円弧板よりなるフレームと、円弧板の前方に多数の吹出枝管を持つ送風ダクトを設け、円弧板後方のフレームに捕虫網を取付け、吹出枝管から圧力風を円弧板に向かって吹付けることを特徴とした茶園用送風式防除機。
【請求項２】
吹出枝管の先端と円弧板の先端の高さを略同じ高さとし、吹出枝管から吹出す圧力風が円弧板の上面を吹く方向とし、吹出枝管の先端から円弧板の先端までの距離を約２０〜３０ｃｍとしたことを特徴とした請求項１記載の茶園用送風式防除機。
【請求項３】
吹出枝管の先端の高さと吹出枝管から吹出す圧力風の吹出角度を調節可能とし、吹出枝管から吹出す圧力風が円弧板の上面を吹く方向とし、吹出枝管の先端から円弧板の先端までの距離を約２０〜３０ｃｍとしたことを特徴とした請求項１記載の茶園用送風式防除機。
【請求項４】
吹出枝管口径は約１５〜２５ｍｍφとし、吹出枝管と吹出枝管の間隔を約５〜８ｃｍとし、吹出枝管から吹出す圧力風の風速を約１５〜３０ｍ／ｓとしたことを特徴とした請求項１、２または３記載の茶園用送風式防除機。
【請求項５】
円弧板後方に取付ける捕虫網として、網目大きさ約５０〜２００メッシュの布状材料とし、前方を開口した袋状としたことを特徴とした請求項１、２、３または４記載の茶園用送風式防除機。
【請求項６】
送風ファンとエンジンを背負式とし、防除機の送風ダクトと送風ファンをフレキシブルホースでつないだことを特徴とした請求項１、２、３、４または５記載の茶園用送風式防除機。
【請求項７】
送風ファンとエンジンを送風ダクトを一体化して、防除機本体のフレームに取付けたことを特徴とした請求項１、２、３、４または５記載の茶園用送風式防除機。
【請求項８】
送風ファン附近に水を入れる容器をセットし、圧力風に水滴を混合することによって、水滴の混ざった圧力風を吹付けることを特徴とした請求項１、２、３、４、５、６または７記載の茶園用送風式防除機。
【請求項９】
捕虫網取付部に圧力風の誘導ダクトを取付け、誘導ダクトの後端を畝間に誘導するようにし、茶園用送風式防除機を露取用として使用することを特徴とした茶園用露取方法。
【請求項１０】
捕虫網の材料をナイロン網とすることを特徴とする請求項５記載の茶園用送風式防除機。
【発明の詳細な説明】
【０００１】
【産業上の利用分野】
この発明は、茶園に発生する害虫を防除する装置とその装置を利用して、茶園の露取作業を行う方法と装置に関するものである。
【０００２】
【従来の技術】
茶樹に発生する害虫を防除する方法としては、主として、農薬の散布が行われている。農薬を使用しない方法として、天敵を利用して駆除する方法がある。茶園の露取作業とは、摘採直前に雨に降られたり、露で濡れたりすると、濡れた茶葉は重くなって摘採も困難であるし、乾燥作業を主とする製茶工程でも余分な水分を除去せねばならず、加工能率が低下し、製品の品質も低下する。この為に、摘採前に茶葉についている水滴を除去する作業をいう。一般的には、エンジン付の送風ファンを作業者が背負い、ホースの先を茶園の表面に向けて、茶葉についた雨粒を吹き飛ばしている。また、特公昭５９−３９０８７に示す露払機や、特開２００２−１８６３３１に示すように、可搬式茶刈機を用いて、露取作業（露払い）をする方法も紹介されている。
【０００３】
【発明が解決しようとする課題】
近年、農薬の過剰な使用による環境破壊や、残留農薬による人体への悪影響の危険性が叫ばれている。したがって、無農薬栽培が強く求められている。天敵を用いる方法は、天敵の種類が限られており、駆除できる害虫の数も少ない。また、天敵の使用には、専門的知識を必要とし、一般的でない。更に、天敵の飼育は、手間が掛り、経済的でない。この発明は、農薬や天敵を用いないで、茶園に発生する害虫を駆除し、茶園の防除を行うことの出来る装置を提供することを第１の課題とする。
【０００４】
第２の課題としては、この発明の防除機を用いて、茶園の露取（露払）作業をおこなう方法を提供し、露取機として、使用できる装置を提供することである。
【０００５】
【課題を解決するための手段】
農薬や天敵を用いずに防除する方法として、試験研究機関で、送風式捕虫機の研究がおこなわれているが、未だ実用化されていない。この発明は、この原理を用いて実用化を計るものである。
【０００６】
請求項１の手段では、「茶畝を形成する茶樹の表面形状に合わせた円弧板よりなるフレームと、円弧板の前方に多数の吹出枝管を持つ送風ダクトを設け、円弧板後方のフレームに捕虫網を取付け、吹出枝管から圧力風を円弧板に向かって吹付ける」という手段を用いる。円弧状に形成された茶樹の表面に強風（圧力風）を吹付け、茶葉に付着している害虫を強風の圧力によって圧死させ、後方に吹き飛ばす。害虫は、茶樹表面の形状に合わせた円弧板の上を吹き飛ばされて、後方にセットした捕虫網で捕らえれる。このようにして、茶葉に付いた害虫を駆除することができる。
【０００７】
請求項２の手段では、「吹出枝管の先端と円弧板の先端の高さを略同じ高さとし、吹出枝管から吹出す圧力風が円弧板の上面を吹く方向とし、吹出枝管の先端から円弧板の先端までの距離を約２０〜３０ｃｍとする」という手段を用いる。圧力風に当って吹き飛ばされる害虫を捕虫網にしっかり入れるためには、吹出枝管と吹き飛ばされる害虫を受ける円弧板をほぼ同じ高さにする必要がある。また、吹き飛ばされた害虫が茶樹の内へ落ちないようにするため、圧力風の吹出方向は円弧板の上に向くようにする。害虫の付いている茶葉に圧力風をうまく当てる為には、吹出枝管の先端を円弧板の先端から２０〜３０ｃｍ前にセットするのがよい。
【０００８】
請求項３の手段では、「吹出枝管の先端の高さと吹出枝管から吹出す圧力風の吹出角度を調節可能とし、吹出枝管から吹出す圧力風が円弧板の上面を吹く方向とし、吹出枝管の先端から円弧板の先端までの距離を約２０〜３０ｃｍとする」という手段を用いる。害虫の付いている茶葉はその生育状態に長いもの、短いものがある。吹出枝管の先端の高さを茶葉の長さに合わせて、上下に調節すれば、最も適切な位置に圧力風を当てることが出来る。又、吹出角度を調節することによって、茶葉を吹き上げる圧力風の方向が変わり、付着している害虫をより効果的に吹き飛ばすことが出来る。
【０００９】
請求項４の手段では、「吹出枝管口径は約１５〜２５ｍｍφとし、吹出枝管と吹出枝管の間隔を約５〜８ｃｍとし、吹出枝管から吹出す圧力風の風速を約１５〜３０ｍ／ｓとする」という手段をとる。櫛状の吹出枝管の間隔が狭すぎると、茶葉が吹出枝管に邪魔されて押し倒されてしまい、圧力風が茶葉に当らなくなってしまう。また、間隔が広すぎると、吹出枝管と吹出枝管の間に圧力風が当らないところが生じる。害虫を吹き飛ばすには、吹出枝管が吹出す圧力風は十分な風速が必要である。
【００１０】
請求項５の手段では、「円弧板後方に取付ける捕虫網として、網目大きさ約５０〜２００メッシュの布状材料とし、前方を開口した袋状とする」という手段をとる。捕虫網の網目があまり細かいと、圧力風が捕虫網から抜けず、吹き飛ばした害虫を捕虫網へ誘導することが出来ない。あまり荒い目だと、害虫が抜けてしまって捕らえることが出来ない。
【００１１】
請求項６の手段では、「送風ファンとエンジンを背負式とし、防除機の送風ダクトと送風ファンをフレキシブルホースでつなぐ」という手段をとる。送風ファンとエンジンを背負式とすれば、防除機を軽くすることが出来て、取扱いが容易となり、一人の作業者で防除の作業を行うことが可能となる。
【００１２】
請求項７の手段では、「送風ファンとエンジンを送風ダクトを一体化して、防除機本体のフレームに取付ける」という手段をとる。送風ファンとエンジンを防除機本体のフレームに取り付ければ、請求項５で示した送風ダクトと送風ファンをつなぐフレキシブルホースは不要となり、コンパクトとなる。エンジン及び送風ファンの分だけ重量が増すので、このタイプは２人で持って防除作業するのに用いる。
【００１３】
請求項８の手段では、「送風ファン附近に水を入れる容器をセットし、圧力風に水滴を混合することによって、水滴の混ざった圧力風を吹付ける」という手段をとる。圧力風に水滴を混ぜることにより、圧力風が害虫に当る時の衝撃が強くなり、害虫を殺傷する効果を増大させることが出来る。
【００１４】
請求項９の手段では、「捕虫網取付部に圧力風の誘導ダクトを取付け、誘導ダクトの後端を畝間に誘導するようにし、茶園用送風式防除機を露取用として使用する」という手段を用いる。吹出枝管から吹出す圧力風は、非常に強力なので、茶葉に付着している水滴を吹き飛ばすことができる。単に後方へ吹き飛ばすだけでは、そのまま後の茶葉に付着してしまうので、捕虫網の代りに誘導ダクトを取付けておけば、吹き飛ばされた水滴を畝間に落すことができる。
【００１５】
請求項１０の手段では、「捕虫網の材料をナイロン網とする」という手段をとる。ナイロンを使用すれば、軽くて、約５０〜２００メッシュの細かな網でも丈夫であり、熱にも強いので、熱湯によって捕虫した害虫を完全に死滅させることが出来る。
【００１６】
【発明の実施の形態】
図面に従って、実施の形態を説明する。図１はこの発明の茶園用送風式防除機の主要部分を示す断面図、図２は請求項５に示す一人用防除機の正面図、図３は平面図である。図３には露取機として使用した場合の誘導ダクトも示している。図４は請求項６に示す二人用の防除機を示す立体説明図である。
【００１７】
１は茶樹の表面形状に合わせた円弧板である。茶樹は帯状に列をなして植栽され、茶畝を形成している。茶畝の断面は上面が円弧となっている。従来、円弧の半径は約１１００Ｒであったが、近年、乗用型摘採機を導入するにあたって、３０００Ｒが増えてきている。円弧板１の下面は茶畝表面に合わせた円弧状平面である。上面の前端は下面と同じ円弧であるが、後方を少し上げて、円錐状にし、斜面を形成して、後端へ捕虫網３を取付けやすくすると共に、圧力風の方向を上に向け、吹き飛ばされた害虫４が捕虫網３の奥にたまるようにしている。捕虫網３は１５０メッシュのナイロン網とする。
【００１８】
円弧板１の前上方には、送風ダクト２が設けてある。送風ダクト２からは櫛状に多数の送風枝管５が出ている。送風枝管５は２０ｍｍφのパイプとし、その先端は、円弧板１の先端とほぼ同じ高さとし、茶葉に接しながら移動できるようになっている。送風ダクト２は送風管取付板１８によって、ネジ１９で側板６に取付けてある。茶葉の育成状態に合わせて、送風枝管５の先端の高さと吹出角度を変え、最も効果的に茶葉に付着している害虫を吹き飛ばすように調節する。送風枝管５と円弧板１の先端との距離Ａは約２０￣３０ｃｍの間隔とし、茶葉に十分に圧力風が当るようにする。円弧板１の左右側面は側板６で囲い、吹き飛ばされた害虫４を捕虫網３へ誘導する。又、円弧板１と送風ダクト２の間の上方は天井板７でカバーし、害虫が上方へ逃げるのを防いでいる。この防除機の上部には把手８、９が設けてあり、作業者が両手で支えるようになっている。把手８、９の取付部は、作業者の身長によって高さをあわせるため、角度調節可能としてある。送風ダクト２から櫛状に出ている送風枝管５の外径は約２０ｍｍとし、間隔Ｂは約６ｃｍとする。
【００１９】
１０は作業者に背負わされたエンジン付ファンである。送風ダクト２とエンジン付ファン１０はフレキシブルホース１１でつなげてある。１２は水を入れる容器であり、エンジン付ファン１０附近に設けておき、ファンで発生する圧力風に水滴を供給する。作業者は、両手で把手８、９を持ち、茶樹の上にこの防除機をそっと置く。防除機は軽く製作してあるので、円弧板１によって茶樹１３に支えられる。エンジン付ファン１０を稼動させると、送風枝管の先から圧力風が吹出す。そのまま茶樹１３の表面に沿って前方に防除機を滑らせていく。圧力風によって吹き飛ばされた害虫は、捕虫網３の中へ収容される。このようにして、茶園の防除作業を行うことが出来る。
【００２０】
図４はこの作業を２人で行う為の２人用防除機を示す。送風ダクト２に直接エンジン付ファン１０が連結してあり、フレキシブルホース１１は無い。機体の左右に把手１４、１５が設けてあり、把手１４、１５の取付部は、作業者の身長によって高さをあわせるため、角度調節可能としてある。２人の作業者で両端を持って防除作業をおこなう。
【００２１】
図３に請求項８に示す茶園用露取機として使用する場合の実施例を示す。１６は露取用の誘導ダクトであって、捕虫網３を取外して、代りに取付ける。誘導ダクト１６は、水滴を流すことが出来る部材であれば何でもよいが、捕虫網３と同様の部材で製作してもよい。誘導ダクト１６の後端は、畝間にたらすようにし、先端は開口部１７として開放しておく。防除作業と同様に茶樹の上をすべらして行くと、圧力風で後方に吹き飛ばされた水滴は、誘導ダクト１６に入り、畝間へ落とされる。このようにして、茶葉に付着した水滴を取り除くことが出来る。
【００２２】
【発明の効果】
この発明により、農薬を使用せずに害虫の防除が可能となるので、現在行われている、摘採前の一定期間は農薬散布が出来ない、というような農薬の規制にとらわれることなく、いつでも、何回でも防除作業を行うことが出来るので、茶葉の収量、品質の向上に大いに役立てることが出来る。又、農薬によって作業者、及び消費者の健康を害することからも守ることが出来る。防除作業以外の時は、そのまま、雨で濡れた茶葉の露取作業に利用でき、茶葉の水滴を取ることによって、摘採作業を容易にし、製茶工程での能率の向上、品質の向上に役立てることが出来る。
【図面の簡単な説明】
【図１】茶園用送風式防除機の主要部分を示す断面図。
【図２】請求項６に示す一人用防除機の正面図。
【図３】図２の平面図。
【図４】請求項７に示す二人用の防除機を示す立体説明図。
【符号の説明】
１  円弧板
２  送風ダクト
３  捕虫網
４  害虫
５  送風枝管
６  側板
７  天井板
８  把手
９  把手
１０  エンジン付ファン
１１  フレキシブルホース
１２  水容器
１３  茶樹
１４  把手
１５  把手
１６  誘導ダクト
１７  開口部
１８  送風ダクト取付板
１９  ネジ
【図１】
2004222679.tif 000003
【図２】
2004222679.tif 000004
【図３】
2004222679.tif 000005
【図４】
2004222679.tif 000006